(57)【要約】【課題】接続先のディスプレイ装置の解像度に従って、ディスプレイ装置に一覧表示させるサムネイル画の枚数を変更できる情報再生装置を提供する。【解決手段】サムネイル画の枚数が各最大表示可能枚数以下の何れかに該当すると判定されたとき、各最大表示可能枚数以下の何れかに該当した最大表示可能枚数に対応する解像度がテーブルから読み出され、この読み出された解像度とディスプレイ装置の解像度とが一致するか否かが判定される。前記読み出された解像度とディスプレイ装置の解像度とが不一致と判定されたとき、前記読み出された解像度がディスプレイ装置の解像度に変更される。そして、前記変更された解像度で、且つこの解像度に対応する最大表示可能枚数の範囲内でサムネイル画の枚数が変更され、サムネイル画がディスプレイ装置に表示される。【選択図】図８
2009044491.tif 000002
【特許請求の範囲】
【請求項１】
記録媒体に記録された情報を再生する情報再生装置において、
規格上において決められている複数種類の解像度と、各解像度で表示させるサムネイル画の最大表示可能枚数と、前記最大表示可能枚数で表示されるときの各サムネイル画のサイズとの関係を示すテーブルが予めメモリに記憶された構成を有し、
記録媒体に複数の静止画ファイルが記録されており、複数の静止画ファイルをサムネイル画としてディスプレイ装置に表示させる場合、
前記複数の静止画ファイルの再生時に、ファイル管理情報よりファイル数を検出してサムネイル画の枚数を認識するサムネイル画枚数認識手段と、
前記認識されたサムネイル画の枚数が前記テーブルで示す各解像度に対応する各最大表示可能枚数以下の何れかに該当するか否かを判定する最大表示可能枚数判定手段と、
前記認識されたサムネイル画の枚数が各最大表示可能枚数以下の何れかに該当すると判定されたとき、各最大表示可能枚数以下の何れかに該当した最大表示可能枚数に対応する解像度を前記テーブルから読み出し、この読み出された解像度と前記ディスプレイ装置の解像度とが一致するか否かを判定する解像度判定手段と、
前記読み出された解像度と前記ディスプレイ装置の解像度とが一致すると判定されたとき、この一致したときの解像度で、且つこの解像度に対応する最大表示可能枚数の範囲の枚数で、前記サムネイル画を前記ディスプレイ装置に表示させる第１の表示制御手段と、
前記読み出された解像度と前記ディスプレイ装置の解像度とが不一致と判定されたとき、前記読み出された解像度を前記ディスプレイ装置の解像度に変更する解像度変更手段と、
前記変更された解像度で、且つこの解像度に対応する最大表示可能枚数の範囲内でサムネイル画の枚数を変更させ、前記サムネイル画を前記ディスプレイ装置に表示させる第２の表示制御手段と、を有するシステムコントローラを備えたことを特徴とする情報再生装置。
【請求項２】
規格上において決められている複数種類の解像度とは、少なくとも、解像度１０８０ｉ、解像度７２０ｐ、解像度４８０ｉであることを特徴とする請求項１に記載の情報再生装置。
【請求項３】
各解像度で表示させるサムネイル画の最大表示可能枚数とは、少なくとも、解像度１０８０ｉにおける視覚可能なサムネイル画の最大枚数、解像度７２０ｐにおける視覚可能なサムネイル画の最大枚数、解像度４８０ｉにおける視覚可能なサムネイル画の最大枚数であることを特徴とする請求項１に記載の情報再生装置。
【発明の詳細な説明】
【技術分野】
【０００１】
本発明は、記録媒体に記録された情報を再生する情報再生装置に関し、特に、サムネイル画の表示処理に関する。
【背景技術】
【０００２】
近年、この種の情報再生装置として、例えば、光ディスク再生装置（ＤＶＤプレイヤ）や光ディスク記録再生装置（ＤＶＤレコーダ）あるいはハードディスクレコーダなどが普及しており、これらの情報再生装置に接続される機器としては、テレビジョン受像機などが知られている。テレビジョン受像機の表示画面の超高精細化は、液晶パネル製造技術の進歩によって著しく発展して、非常に膨大な情報量のビデオデータを高精細に表示することが可能になった。このようなテレビジョン受像機では、非常に多くのビデオデータおよびオーディオデータを、情報再生機器から送信させるため、ＨＤＭＩ（High Definition Multimedia Interface）と言うインターフェイスが用いられている。
【０００３】
ＨＤＭＩは、情報再生機器からテレビジョン受像機などへビデオデータおよびオーディオデータを伝送するためのインターフェイスである。ＨＤＭＩは、従来の規格であるＤＶＩ（Digital Visual Interface for Computer）Ver1.0を拡張したものである。具体的には、ＤＶＩはビデオデータのみを送信する規格のインターフェイスであるのに対し、ＨＤＭＩは、ビデオデータの他、オーディオデータおよびその他のデータもひとつのケーブルで送信できる規格のインターフェイスである。更に、ＨＤＭＩは、高品質のマルチチャンネルのオーディオデータと高解像度の各種フォーマットのビデオデータの伝送が可能である。
【０００４】
ＨＤＭＩは、ＤＤＣ（Display Data Channel）通信により、各種の情報（モニタの情報、例えば、ＥＤＩＤデータ構造など）を伝送するのに用いられることも可能である。ＥＤＩＤ（Extended Display Identification Data）とは、テレビジョン受像機の受信可能な解像度、オーディオストリーム情報（音声形式などの情報）、ＨＤＭＩ受信部の持つスピーカ情報などがある。また、ＨＤＭＩは、ひとつのケーブルでビデオデータおよびオーディオデータを伝送することができ、複数ケーブル接続の煩わしさがなくなるという利点を有している。例えば、光ディスク再生装置などの情報再生装置からＣＳＳ（Content Scrambling System）におけるコンテンツを出力する場合において、ＨＤＭＩは、ＣＰＡＣ（Copy Protection Advisory Council）により承認されている規格のインターフェイスになっている。
【０００５】
前記ＤＤＣとは、通信形式の名称であり、ビデオデータの表示条件やオーディオデータの条件のデータ以外に、ＨＤＭＩモニタに関する他のデータを併せて光ディスク再生装置などの情報再生装置に送信するのに用いられる回線である。ＤＤＣは、光ディスク再生装置などの情報再生装置内の通信線と接続されており、情報再生装置とテレビジョン受像機との間の回線を確立させるために用いられる。前記ＣＳＳは、データを暗号化して記録し、再生時に復号化するシステムである。また、ＨＤＭＩには、ＣＥＣ（Consumer Electronics Control）というコントロール機能が有り、情報再生装置とテレビジョン受像機との間でコマンドにより主電源をオンさせたりオフされたり、その他の制御が連動で行うことができる。
【特許文献１】特開平１１−２１５４５５号公報
【特許文献２】特開２００４−３２８７１１号公報
【発明の開示】
【発明が解決しようとする課題】
【０００６】
ところで、近年、デジタルカメラの普及により、個人資産の静止画ファイル（ｊｐｅｇファイル）が増大している。このような静止画ファイルをサムネイル画として一覧表示させるのに、静止画ファイルを記録した記録媒体を前述したような情報再生装置に装填し、ＨＤＭＩ接続されたテレビジョン受像機のディスプレイ装置に静止画ファイルのサムネイル画を一覧表示させるような使い方がされている場合がある。
【０００７】
ここで問題となるのは、例えば、静止画ファイルの個数が８０個有り、８０枚のサムネイル画をディスプレイ装置に一覧表示させたい場合（図４参照）、情報再生装置では、１０８０ｉ（インターレースで１０８０×１９２０ドット）、７２０ｐ（プログレッシブで７２０×１０２４ドット）、４８０ｉ（インターレースで４８０×６４０ドット）の解像度を持ち、テレビジョン受像機では、１０８０ｉの解像度を持っている場合には、ディスプレイ装置に８０枚のサムネイル画を一覧表示させても、解像度が高いので、ユーザは８０枚のサムネイル画の内容を見ることができるが、テレビジョン受像機が、７２０ｐや４８０ｉの解像度しか持っていない場合には、７２０ｐや４８０ｉの解像度で、８０枚のサムネイル画を一覧表示させても、サムネイル画の画像が荒くなって内容が分かり辛くなる。また、逆に、情報再生装置では、７２０ｐや４８０ｉの解像度しか持っていない場合、７２０ｐまたは４８０ｉの解像度で、ディスプレイ装置に８０枚のサムネイル画を一覧表示させた場合にも、サムネイル画の画像が荒くなって内容が分かり辛くなる。
【０００８】
要するに、ディスプレイ装置が１０８０ｉ、７２０ｐ、４８０ｉの解像度を持っていても、情報再生装置では、７２０ｐや４８０ｉの解像度しか持っていない場合には、多くのサムネイル画をディスプレイ装置に一覧表示させた場合、サムネイル画の画像が荒くなって内容が分かり辛くなると言う課題が生じる。また、逆に、情報再生装置が１０８０ｉ、７２０ｐ、４８０ｉの解像度を持っていても、ディスプレイ装置では、７２０ｐや４８０ｉの解像度しか持っていない場合には、情報再生装置が７２０ｐや４８０ｉの解像度で対応することになるので、多くのサムネイル画をディスプレイ装置に一覧表示させた場合も、サムネイル画の画像が荒くなって内容が分かり辛くなると言う課題が生じる。
【０００９】
なお、特許文献１の従来技術は、画像ファイルの所定の一部分のみを表示する閲覧表示モードで閲覧する際に、画像ファイルの格納された画像データの表示コマ数が多い時は、コマ数が少ない時に比べて所定の一部分のデータサイズを小さくするようにしているが、接続先のディスプレイ装置の解像度に従ってサムネイル画の一覧表示における枚数を変更することができないので、前記のような課題を解決することができない。
【００１０】
特許文献２の従来技術は、画面データベースに保存された画像からサムネイルを作成してディスプレイ装置の一覧表示領域にサムネイル画像を表示するものであって、その一覧表示領域にＮ枚のサムネイルを画像を表示するのに、好適な大きさのサムネイル画像を形成することができるようにしているが、この従来技術も、接続先のディスプレイ装置の解像度に従ってサムネイル画の一覧表示における枚数を変更することができないので、前記のような課題を解決することができない。
【００１１】
本発明は、上記のような課題を解決するためになされたもので、接続先のディスプレイ装置の解像度に従って、ディスプレイ装置に一覧表示させるサムネイル画の枚数を変更することが可能な情報再生装置を提供することを目的とする。
【課題を解決するための手段】
【００１２】
上記目的を達成するために、請求項１の発明は、規格上において決められている複数種類の解像度と、各解像度で表示させるサムネイル画の最大表示可能枚数と、前記最大表示可能枚数で表示されるときの各サムネイル画のサイズとの関係を示すテーブルが予めメモリに記憶された構成を有し、記録媒体に複数の静止画ファイルが記録されており、複数の静止画ファイルをサムネイル画としてディスプレイ装置に表示させる場合、前記複数の静止画ファイルの再生時に、ファイル管理情報よりファイル数を検出してサムネイル画の枚数を認識するサムネイル画枚数認識手段と、前記認識されたサムネイル画の枚数が前記テーブルで示す各解像度に対応する各最大表示可能枚数以下の何れかに該当するか否かを判定する最大表示可能枚数判定手段と、前記認識されたサムネイル画の枚数が各最大表示可能枚数以下の何れかに該当すると判定されたとき、各最大表示可能枚数以下の何れかに該当した最大表示可能枚数に対応する解像度を前記テーブルから読み出し、この読み出された解像度と前記ディスプレイ装置の解像度とが一致するか否かを判定する解像度判定手段と、前記読み出された解像度と前記ディスプレイ装置の解像度とが一致すると判定されたとき、この一致したときの解像度で、且つこの解像度に対応する最大表示可能枚数の範囲の枚数で、前記サムネイル画を前記ディスプレイ装置に表示させる第１の表示制御手段と、前記読み出された解像度と前記ディスプレイ装置の解像度とが不一致と判定されたとき、前記読み出された解像度を前記ディスプレイ装置の解像度に変更する解像度変更手段と、前記変更された解像度で、且つこの解像度に対応する最大表示可能枚数の範囲内でサムネイル画の枚数を変更させ、前記サムネイル画を前記ディスプレイ装置に表示させる第２の表示制御手段と、を有するシステムコントローラを備えたことを特徴とする情報再生装置を提供する。
【００１３】
この構成において、記録媒体に複数の静止画ファイルが記録されており、複数の静止画ファイルをサムネイル画としてディスプレイ装置に表示させる場合、前記複数の静止画ファイルの再生時に、ファイル管理情報よりファイル数が検出され、サムネイル画の枚数が認識される。前記認識されたサムネイル画の枚数が各最大表示可能枚数以下の何れかに該当すると判定されたとき、各最大表示可能枚数以下の何れかに該当した最大表示可能枚数に対応する解像度がテーブルから読み出され、この読み出された解像度とディスプレイ装置の解像度とが一致すると判定されたとき、この一致したときの解像度で、且つこの解像度に対応する最大表示可能枚数の範囲の枚数で、前記サムネイル画がディスプレイ装置に表示される。前記読み出された解像度とディスプレイ装置の解像度とが不一致と判定されたとき、前記読み出された解像度がディスプレイ装置の解像度に変更される。そして、前記変更された解像度で、且つこの解像度に対応する最大表示可能枚数の範囲内でサムネイル画の枚数が変更され、前記サムネイル画がディスプレイ装置に表示される。
【００１４】
この構成によれば、接続先のディスプレイ装置の解像度に従って、ディスプレイ装置に一覧表示させるサムネイル画の枚数を変更することができるので、ユーザは、写真ファイルなどの静止画ファイルのサムネイル画の閲覧をより行い易くなる。
【００１５】
請求項２の発明では、請求項１の発明において、規格上において決められている複数種類の解像度とは、少なくとも、解像度１０８０ｉ、解像度７２０ｐ、解像度４８０ｉであるので、少なくとも、１０８０ｉ、７２０ｐ、４８０ｉの解像度を持つ情報再生装置とディスプレイ装置に、サムネイル画に対する処理を行うことができる。
【００１６】
請求項３の発明では、請求項１の発明において、各解像度で表示させるサムネイル画の最大表示可能枚数とは、少なくとも、解像度１０８０ｉにおける視覚可能なサムネイル画の最大枚数、解像度７２０ｐにおける視覚可能なサムネイル画の最大枚数、解像度４８０ｉにおける視覚可能なサムネイル画の最大枚数であるので、各解像度に従ってサムネイル画の一覧表示における枚数を変更することが可能になる。
【発明の効果】
【００１７】
以上のように本発明によれば、接続先のディスプレイ装置の解像度に従って、ディスプレイ装置に一覧表示させるサムネイル画の枚数を変更することができるので、ユーザは、写真ファイルなどの静止画ファイルのサムネイル画の閲覧をより行い易くなる。
【発明を実施するための最良の形態】
【００１８】
以下、添付図面を参照しつつ、本発明の実施の形態について説明する。図１は本発明の一実施形態に係る情報再生装置としてのＢＤ（ブルーレイディスク）プレイヤを含む構成を示すブロック図である。
【００１９】
図１において、ＢＤプレイヤ１は、装置全体を制御するマイクロコンピュータなどを含むシステムコントローラ１１と、リモコン４から送信されてきたキーコード（リモコンコード）を受信するリモコン受信部１２と、ＨＤＭＩ（High Definition Multimedia Interface）ケーブル３によって接続されるテレビジョン受像機２のメーカ名とリモコンコードとの対応関係を示すテーブルなどを記憶したフラッシュＲＯＭ１３と、設定画面や文字情報などをテレビジョン受像機２（モニタ装置でも良い）に表示させるためのＯＳＤ（On Screen Display ）処理を行うＯＳＤ回路１４と、ＢＤやＳＤ（Secure Digital）メモリカードやＣＦ（Compact Flash）カードなどの記録媒体の記録情報を再生する再生部１５と、ＨＤＭＩケーブル３を介してテレビジョン受像機２と通信を行うＨＤＭＩ通信部１６とを備えている。
【００２０】
テレビジョン受像機２は、受像機全体を制御するマイクロコンピュータを含む制御部２１と、制御部２１の制御プログラムや受像機のメーカ名を含む所定形式の識別子データを有するＥＤＩＤ（Extended Display Identification Data）などを記憶したフラッシュＲＯＭ２２と、映像を表示するディスプレイ装置２３と、音声回路およびスピーカなどを含み音声を出力する音声出力部２４と、ＨＤＭＩケーブル３を介してＢＤプレイヤ１と通信を行うＨＤＭＩ通信部２５と、テレビジョン受像機２に付属のリモコン５から送信されてきたキーコードを受信するリモコン受信部２６とを備えている。
【００２１】
リモコン４は、リモコン全体を制御するマイクロコンピュータを含む制御部４１と、操作キー番号が予め割り当てられＢＤプレイヤ１やテレビジョン受像機２を遠隔操作する複数の操作キーが設けられた操作パネル４２と、操作パネル４２の操作キーに対応したキーコードをＢＤプレイヤ１、あるいはＢＤプレイヤ１およびＨＤＭＩケーブル３を介してテレビジョン受像機２に送信するリモコン送信部４３と、複数のキーコードを操作パネル４２の操作キーの操作キー番号に対応したアドレスに記憶するフラッシュＲＯＭ４４とを備えている。
【００２２】
図２は本実施形態においてＢＤプレイヤに付属のリモコン４におけるキー配置の一例を示す図である。図２において、リモコン４の操作パネル４２には、電源キー４０１、トレイ開閉キー４０２、入力モード切換キー４１８、音量キー４０３、複数の数字キー４０４、ＢＤモード切換キー４０５、ＴＶモード切換キー４０６、再生リストキー４０７、設定画面キー４０８、上方向きー４０９、下方向キー４１０、左方向キー４１１、右方向キー４１２、決定キー４１３、早戻しキー４１４、停止キー４１５、再生キー４１６、早送りキー４１７などが配置されている。なお、ここでのキーの配置や個数は一例であるので、これに限ることはない。
【００２３】
図３は本実施形態において解像度と最大表示可能枚数とサムネイル画サイズとの関係を示すテーブルの内容の一例を示す図である。
【００２４】
このテーブルＴにおいて、解像度は、テレビジョン受像機２（図１参照）のディスプレイ装置２３に表示されるサムネイル画の解像度であり、最大表示可能枚数は、複数のサムネイル画がディスプレイ装置２３の画面に一覧表示される場合のサムネイル画が表示される最大表示可能枚数を示す。最大表示可能枚数は、設定された解像度で、ユーザが見える程度の画質でサムネイル画の最大表示可能枚数であるので、例えば、解像度が１０８０ｉ（インターレースで１０８０×１９２０ドット）であれば、サムネイル画が一覧表示で８０枚まで表示可能であり、解像度が７２０ｐ（プログレッシブで７２０×１０２４ドット）であれば、サムネイル画が一覧表示で２０枚まで表示可能であり、解像度が４８０ｉ（インターレースで４８０×６４０ドット）であれば、サムネイル画が一覧表示で８枚まで可能であることを示す。なお、解像度と最大表示可能枚数とが決まれば、サムネイル画サイズ(ドット)が決まる。
【００２５】
図４は、本実施形態において、解像度が１０８０ｉで、１０５×１０５のサイズのサムネイル画が８０枚、ディスプレイ装置に一覧表示されている表示イメージ画面の一例を示す図である。図５は、本実施形態において、解像度が７２０ｐで、１５０×１５０のサイズのサムネイル画が２０枚、ディスプレイ装置に一覧表示されている表示イメージ画面の一例を示す図である。図６は、本実施形態において、解像度が４８０ｉで、２１０×２１０のサイズのサムネイル画が８枚、ディスプレイ装置に一覧表示されている表示イメージ画面の一例を示す図である。
【００２６】
図７は本実施形態において解像度と最大表示可能枚数とサムネイル画サイズとの関係をテーブルとして設定する処理を説明するためのフローチャートである。このフローチャートおよび図１〜図６を参照して解像度と最大表示可能枚数とサムネイル画サイズとの関係をテーブルとして設定する処理について説明する。
【００２７】
先ず、先ず、ＢＤプレイヤ１およびテレビジョン受像機２の主電源を入れるため、ユーザはリモコン４の電源キー４０１を押下すると、リモコン４のリモコン送信部４３は、電源キー４０１に対応する電源キーコードをＢＤプレイヤ１に送信する。ＢＤプレイヤ１では、リモコン送信部４３からの電源キーコードをリモコン受信部１２で受信し、その電源キーコードを入力したシステムコントローラ１１は、ＢＤプレイヤ１内の図示しない主電源回路を動作させ、ＢＤプレイヤ１の主電源をオンさせると共に、テレビジョン受像機２の主電源をオンさせるための電源オン用コマンドをＨＤＭＩ通信部１６から送信させる。ＨＤＭＩ通信部１６から送信された電源オン用コマンドは、ＨＤＭＩケーブル３を介してテレビジョン受像機２に与えられる。これにより、テレビジョン受像機２の制御部２１は、ＨＤＭＩ通信部２５で受信した電源オン用コマンドにより、テレビジョン受像機２内の図示しない主電源回路を動作させ、主電源をオンさせる。
【００２８】
この後、ユーザは、リモコン４の設定画面キー４０８を操作すると、ＢＤプレイヤ１のシステムコントローラ１１は、設定画面表示操作がされたことを検知し（ステップＳ１）、フラッシュＲＯＭ１３に予め記憶されている設定画面データを読み出して、ＯＳＤ回路１４でＯＳＤ処理を行ってＨＤＭＩ通信部１６から設定画面データを送信する。ＨＤＭＩケーブル３を介して送信されて来た設定画面データをＨＤＭＩ通信部２５により受信したテレビジョン受像機２は、制御部２１の制御によりディスプレイ装置２３に設定画面を表示させる（ステップＳ２）。
【００２９】
その設定画面に対して、解像度として、「１０８０ｉ」、「７２０ｐ」、「４８０ｉ」が、最大表示可能枚数として、「８０」、「２０」、「８」が、サムネイル画サイズとして、「１０５×１０５」、「１５０×１５０」、「２１０×２１０」が、リモコン４の操作により、それぞれ設定され、完了したことを、システムコントローラ１１が検知すると（ステップＳ３）、システムコントローラ１１は、ディスプレイ装置２３に表示されている設定画面を消去し（ステップＳ４）、前記設定された解像度と最大表示可能枚数とサムネイル画サイズとの関係を示すテーブルＴ（図３参照）をフラッシュＲＯＭ１３に記憶する（ステップＳ５）。
【００３０】
図８は本実施形態においてサムネイル画をディスプレイ装置に一覧表示させる場合の処理を説明するためのフローチャートである。このフローチャートおよび図１〜図６を参照してサムネイル画をディスプレイ装置に一覧表示させる場合の処理について説明する。
【００３１】
先ず、ＢＤプレイヤ１およびテレビジョン受像機２の主電源を入れるため、ユーザはリモコン４の電源キー４０１を押下すると、リモコン４のリモコン送信部４３は、電源キー４０１に対応する電源キーコードをＢＤプレイヤ１に送信する。ＢＤプレイヤ１では、リモコン送信部４３からの電源キーコードをリモコン受信部１２で受信し、その電源キーコードを入力したシステムコントローラ１１は、ＢＤプレイヤ１内の図示しない主電源回路を動作させ、ＢＤプレイヤ１の主電源をオンさせると共に、テレビジョン受像機２の主電源をオンさせるための電源オン用コマンドをＨＤＭＩ通信部１６から送信させる。ＨＤＭＩ通信部１６から送信された電源オン用コマンドは、ＨＤＭＩケーブル３を介してテレビジョン受像機２に与えられる。これにより、テレビジョン受像機２の制御部２１は、ＨＤＭＩ通信部２５で受信した電源オン用コマンドにより、テレビジョン受像機２内の図示しない主電源回路を動作させ、主電源をオンさせる。
【００３２】
ここでの説明では、複数の静止画ファイル（ｊｐｅｇファイル）が記録されている記録媒体Ｋに対して再生動作させるものとする。記録媒体Ｋとしては、ＤＶＤ、ＢＤ、ＳＤカード、ＣＦカードなどがある。
【００３３】
複数の静止画ファイルが記録されている記録媒体ＫがＢＤプレイヤ１に装填されると、システムコントローラ１１は、記録媒体Ｋに対するローディングを開始し、ローディングを完了する（ステップＮ１）。ローディングが完了した後、ユーザは、リモコン４の再生キー４１６を操作すると、システムコントローラ１１は、再生指示されたことを検知し（ステップＮ２）、これにより、システムコントローラ１１のサムネイル画枚数認識手段は、前記複数の静止画ファイルの再生時に、記録媒体Ｋに記録されているファイル管理情報より、ファイル数を検出してサムネイル画の枚数を認識する（ステップＮ３）。
【００３４】
そして、システムコントローラ１１の最大表示可能枚数判定手段は、前記認識されたサムネイル画の枚数がテーブルＴで示す各解像度に対応する各最大表示可能枚数以下の何れかに該当するか否かを判定する（ステップＮ４，Ｎ５，Ｎ６）。前記認識されたサムネイル画の枚数が各最大表示可能枚数以下の何れかに該当すると判定されたとき（ステップＮ４，Ｎ５，Ｎ６）、システムコントローラ１１の解像度判定手段は、各最大表示可能枚数以下の何れかに該当した最大表示可能枚数に対応する解像度をテーブルＴから読み出し、この読み出された解像度とディスプレイ装置２３の解像度とが一致するか否かを判定する（ステップＮ７，Ｎ８，Ｎ９）。
【００３５】
例えば、前記設定されたサムネイル画の枚数が８以下であると判定されたとき、システムコントローラ１１の解像度判定手段は、テーブルＴから読み出された解像度４８０ｉと、ディスプレイ装置２３の解像度とが一致したか否かを判定する（ステップＮ７）。ディスプレイ装置２３の解像度が４８０ｉであり、両解像度が一致したと判定されたとき、システムコントローラ１１の第１の表示制御手段は、その一致したときの解像度４８０ｉで、且つ解像度４８０ｉに対応する最大表示可能枚数の範囲内の枚数で、サムネイル画（図６参照）をディスプレイ装置２３に表示させる（ステップＮ１０）。
【００３６】
なお、図６では、８枚のサムネイル画（表示枠内の画像は図示を省略）が表示されているが、１〜７枚のサムネイル画であっても表示可能である。また、ディスプレイ装置２３が解像度４８０ｉにしか対応できない場合において、８枚超えるサムネイル画が有る場合は、図６に示す一覧画面をリモコン４のスクロール操作によって、その一覧画面をスクロールさせれば良い。
【００３７】
前記設定されたサムネイル画の枚数が８以下であると判定され（ステップＮ４）、テーブルＴから読み出された解像度４８０ｉと、ディスプレイ装置２３の解像度とが不一致であると判定されたとき（ステップＮ７）、システムコントローラ１１の解像度変更手段は、ＢＤプレイヤ１側の解像度をテレビジョン受像機２側の解像度に変更する（ステップＮ１１）。例えば、テレビジョン受像機２側の解像度が７２０ｐのみであれば、ＢＤプレイヤ１側の解像度を７２０ｐに変更する（ステップＮ１１）。そして、システムコントローラ１１の第２の表示制御手段は、前記変更された解像度７２０ｐで、且つこの解像度７２０ｐに対応する最大表示可能枚数２０の範囲内の枚数で、サムネイル画をディスプレイ装置２３に表示させる（ステップＮ１４）。
【００３８】
なお、４８０ｉから７２０ｐへ変更された解像度でのサムネイル画は、テーブルＴに設定されている解像度とサムネイル画サイズとの関係により、図５に示すような表示枠のサムネイル画の一覧表示が行われる。この解像度の変更により、サムネイル画の表示枠が小さくなるが、解像度が高くなるので、ユーザがサムネイル画の内容を読み取るのには問題がない。
【００３９】
また、テレビジョン受像機２側の解像度が１０８０ｉのみであれば、ＢＤプレイヤ１側の解像度を１０８０ｉに変更する（ステップＮ１１）。そして、システムコントローラ１１の第２の表示制御手段は、前記変更された解像度１０８０ｉで、且つ解像度１０８０ｉに対応する最大表示可能枚数８０の範囲内の枚数で、サムネイル画をディスプレイ装置２３に表示させる（ステップＮ１４）。
【００４０】
なお、４８０ｉから１０８０ｉへ変更された解像度でのサムネイル画は、テーブルＴに設定されている解像度とサムネイル画サイズとの関係により、図４に示すような表示枠のサムネイル画の一覧表示が行われる。この解像度の変更により、表示枠が小さくなるが、解像度が高くなるので、ユーザがサムネイル画の内容を読み取るのには問題がない。
【００４１】
例えば、前記設定されたサムネイル画の枚数が９〜２０枚であると判定されたとき、システムコントローラ１１の解像度判定手段は、テーブルＴから読み出された解像度７２０ｐと、ディスプレイ装置２３の解像度とが一致したか否かを判定する（ステップＮ８）。ディスプレイ装置２３の解像度が７２０ｐもあり、両解像度が一致したと判定されたとき、システムコントローラ１１の第１の表示制御手段は、その一致したときの解像度７２０ｐで、且つ解像度７２０ｐに対応する最大表示可能枚数の範囲内の枚数で、サムネイル画（図５参照）をディスプレイ装置２３に表示させる（ステップＮ１２）。
【００４２】
なお、図５では、２０枚のサムネイル画（表示枠内の画像は図示を省略）が表示されているが、９〜１９枚のサムネイル画であっても表示可能である。また、ディスプレイ装置２３が解像度７２０ｐにしか対応できない場合において、２０枚超えるサムネイル画が有る場合は、図５に示す一覧画面をリモコン４のスクロール操作によって、その一覧画面をスクロールさせれば良い。
【００４３】
前記設定されたサムネイル画の枚数が９〜２０であると判定され（ステップＮ５）、テーブルＴから読み出された解像度７２０ｐと、ディスプレイ装置２３の解像度とが不一致であると判定されたとき（ステップＮ８）、システムコントローラ１１の解像度変更手段は、ＢＤプレイヤ１側の解像度をテレビジョン受像機２側の解像度に変更する。例えば、テレビジョン受像機２側の解像度が１０８０ｉのみであれば、ＢＤプレイヤ１側の解像度を１０８０ｉに変更する（ステップＮ１１）。そして、システムコントローラ１１の第２の表示制御手段は、前記変更された解像度１０８０ｉで、且つ解像度１０８０ｉに対応する最大表示可能枚数８０の範囲内の枚数で、サムネイル画をディスプレイ装置２３に表示させる（ステップＮ１４）。
【００４４】
なお、７２０ｐから１０８０ｉへ変更された解像度でのサムネイル画は、テーブルＴに設定されている解像度とサムネイル画サイズとの関係により、図４に示すような表示枠のサムネイル画の一覧表示が行われる。この解像度の変更により、表示枠が小さくなるが、解像度が高くなるので、ユーザがサムネイル画の内容を読み取るのには問題がない。
【００４５】
例えば、前記設定されたサムネイル画の枚数が２１〜８０であると判定されたとき（ステップＮ６）、システムコントローラ１１の解像度判定手段は、テーブルＴから読み出された解像度１０８０ｉと、ディスプレイ装置２３の解像度とが一致したか否かを判定する（ステップＮ９）。ディスプレイ装置２３の解像度が１０８０ｉであり、両解像度が一致したと判定されたとき、システムコントローラ１１の第１の表示制御手段は、その一致したときの解像度１０８０ｉで、且つ解像度１０８０ｉに対応する最大表示可能枚数８０の範囲内の枚数で、サムネイル画（図４参照）をディスプレイ装置２３に表示させる（ステップＮ１３）。
【００４６】
なお、図４では、８０枚のサムネイル画（表示枠内の画像は図示を省略）が表示されているが、８０枚を超えるサムネイル画であってもスクロールによって表示可能である。即ち、ディスプレイ装置２３が解像度１０８０ｉにしか対応できない場合において、８０枚を超えるサムネイル画が有る場合は、図４に示す一覧画面をリモコン４のスクロール操作によって、その一覧画面をスクロールさせれば良い。
【００４７】
前記設定されたサムネイル画の枚数が２１〜８０であると判定され（ステップＮ６）、テーブルＴから読み出された解像度１０８０ｉと、ディスプレイ装置２３の解像度とが不一致であると判定されたとき（ステップＮ９）、システムコントローラ１１の解像度変更手段は、ＢＤプレイヤ１側の解像度をテレビジョン受像機２側の解像度に変更する。例えば、テレビジョン受像機２側の解像度が７２０ｐのみであれば、ＢＤプレイヤ１側の解像度を７２０ｐに変更する（ステップＮ１１）。そして、システムコントローラ１１の第２の表示制御手段は、前記変更された解像度７２０ｐで、且つ解像度７２０ｐに対応する最大表示可能枚数２０の範囲内の枚数で、サムネイル画をディスプレイ装置２３に表示させる（ステップＮ１４）。
【００４８】
なお、例えば、１０８０ｉから７２０ｐへ変更された解像度でのサムネイル画は、テーブルＴに設定されている解像度とサムネイル画サイズとの関係により、図５に示すような表示枠のサムネイル画の一覧表示が行われる。この解像度の変更により、解像度が低くなるが、表示枠が大きくなるので、ユーザがサムネイル画の内容を読み取るのには問題がない。
【００４９】
以上説明したように本実施形態によれば、ディスプレイ装置２３の解像度に従って、ディスプレイ装置２３に一覧表示させるサムネイル画の枚数を変更することができるので、ユーザは、写真ファイルなどの静止画ファイルのサムネイル画の閲覧をより行い易くなる。
【産業上の利用可能性】
【００５０】
本発明は、ＢＤプレイヤなどのような高解像度を有する情報再生装置におけるサムネイル画の表示機能に利用可能である。
【図面の簡単な説明】
【００５１】
【図１】本発明の一実施形態に係る情報再生装置としてのＢＤプレイヤを含む構成を示すブロック図である。
【図２】前記実施形態においてＢＤプレイヤに付属のリモコン４におけるキー配置の一例を示す図である。
【図３】前記実施形態において解像度と最大表示可能枚数とサムネイル画サイズとの関係を示すテーブルの内容の一例を示す図である。
【図４】前記実施形態において、解像度が１０８０ｉで、１０５×１０５のサイズのサムネイル画が８０枚、ディスプレイ装置に一覧表示されている表示イメージ画面の一例を示す図である。
【図５】前記実施形態において、解像度が７２０ｐで、１５０×１５０のサイズのサムネイル画が２０枚、ディスプレイ装置に一覧表示されている表示イメージ画面の一例を示す図である。
【図６】前記実施形態において、解像度が４８０ｉで、２１０×２１０のサイズのサムネイル画が８枚、ディスプレイ装置に一覧表示されている表示イメージ画面の一例を示す図である。
【図７】前記実施形態において解像度と最大表示可能枚数とサムネイル画サイズとの関係をテーブルとして設定する処理を説明するためのフローチャートである。
【図８】前記実施形態においてサムネイル画をディスプレイ装置に一覧表示させる場合の処理を説明するためのフローチャートである。
【符号の説明】
【００５２】
１    ＢＤプレイヤ（情報再生装置）
１１    システムコントローラ（サムネイル画枚数認識手段、最大表示可能枚数判定手段、解像度判定手段、第１の表示制御手段、解像度変更手段、第２の表示制御手段）
１３    フラッシュＲＯＭ（メモリ）
２３    ディスプレイ装置
Ｔ    テーブル
【図１】
2009044491.tif 000003
【図２】
2009044491.tif 000004
【図３】
2009044491.tif 000005
【図４】
2009044491.tif 000006
【図５】
2009044491.tif 000007
【図６】
2009044491.tif 000008
【図７】
2009044491.tif 000009
【図８】
2009044491.tif 000010